(57)【特許請求の範囲】
【請求項１】
電界、磁界、電磁界のいずれかを含む電力信号を送信するワイヤレス給電装置であって、
送信コイルを含む送信アンテナと、
複数の周波数から任意の周波数が設定可能であり、設定された周波数の正弦波信号を重ね合わせたマルチトーン信号を、前記送信アンテナに出力可能に構成される電源と、
前記電源が出力すべき正弦波信号の周波数を設定する周波数制御回路と、
を備え、
前記周波数制御回路は、
測定モードにおいて、前記電源に複数の周波数を設定した状態で、前記送信アンテナに流れる電流に応じた検出信号に含まれる周波数成分のうち、強度が大きい周波数を決定し、
給電モードにおいて、前記測定モードにおいて決定された少なくともひとつの周波数を、前記電源に設定することを特徴とするワイヤレス給電装置。
【請求項２】
電界、磁界、電磁界のいずれかを含む電力信号を送信するワイヤレス給電装置であって、
送信コイルを含む送信アンテナと、
複数の周波数から任意の周波数が設定可能であり、設定された周波数の正弦波信号を重ね合わせたマルチトーン信号を、前記送信アンテナに出力可能に構成される電源と、
前記電源が出力すべき正弦波信号の周波数を設定する周波数制御回路と、
を備え、
前記周波数制御回路は、
測定モードにおいて、前記電源に複数の周波数を設定した状態で、前記送信アンテナの両端間の電圧に応じた検出信号に含まれる周波数成分のうち、強度が小さい周波数を決定し、
給電モードにおいて、前記測定モードにおいて決定された少なくともひとつの周波数を、前記電源に設定することを特徴とするワイヤレス給電装置。
【請求項３】
前記電源は、
前記送信アンテナと接続されるブリッジ回路と、
前記ブリッジ回路に電源電圧を出力する電源回路と、
前記周波数制御回路により設定された周波数の正弦波信号を重ね合わせた波形を有するデジタルマルチトーン信号を生成するデジタルマルチトーン信号生成部と、
前記デジタルマルチトーン信号に応じたビットストリーム信号を生成するビットストリーム信号生成部と、
前記ビットストリーム信号に応じて前記ブリッジ回路を駆動するドライバ回路と、
を備えることを特徴とする請求項１または２に記載のワイヤレス給電装置。
【請求項４】
前記ビットストリーム信号生成部は、前記デジタルマルチトーン信号をΔΣ変調することにより前記ビットストリーム信号を生成するバンドパスΔΣ変調器を含むことを特徴とする請求項３に記載のワイヤレス給電装置。
【請求項５】
前記デジタルマルチトーン信号生成部は、
前記周波数制御回路により設定された周波数データを逆フーリエ変換することにより前記デジタルマルチトーン信号を生成する高速逆フーリエ変換器を含むことを特徴とする請求項３または４に記載のワイヤレス給電装置。
【請求項６】
前記電源回路は、前記デジタルマルチトーン信号に応じて、前記電源電圧を変調することを特徴とする請求項３から５のいずれかに記載のワイヤレス給電装置。
【請求項７】
前記周波数制御回路は、
前記検出信号をデジタル信号に変換するＡ／Ｄコンバータと、
前記デジタル信号をフーリエ変換する高速フーリエ変換器と、
前記高速フーリエ変換器の出力データにもとづき、続く給電モードにおいて前記電源に設定すべき周波数を決定するフォーマット部と、
を含むことを特徴とする請求項１から６のいずれかに記載のワイヤレス給電装置。
【請求項８】
前記電源は、
前記周波数制御回路によって設定された周波数の正弦波を、前記マルチトーン信号のクレストファクターが小さくなるような位相で重ね合わせることを特徴とする請求項１から７のいずれかに記載のワイヤレス給電装置。
【請求項９】
前記周波数制御回路は、所定の周期で、前記測定モードに設定されることを特徴とする請求項１から８のいずれかに記載のワイヤレス給電装置。
【請求項１０】
前記周波数制御回路は、前記給電モードの動作を行いつつ、前記測定モードの動作を行うことを特徴とする請求項１から８のいずれかに記載のワイヤレス給電装置。
【請求項１１】
電界、磁界、電磁界のいずれかを含む電力信号を送信する請求項１から１０のいずれかに記載のワイヤレス給電装置と、
前記電力信号を受信するワイヤレス受電装置と、
を備えることを特徴とするワイヤレス給電システム。
【発明の詳細な説明】
【技術分野】
【０００１】
本発明は、ワイヤレス給電技術に関する。
【背景技術】
【０００２】
近年、携帯電話端末やノート型コンピュータなどの電子機器、あるいは電気自動車に対する給電技術として、ワイヤレス（非接触）電力伝送が着目されている。ワイヤレス電力伝送は、主に電磁誘導型、電波受信型、電場・磁場共鳴型、の３つに分類される。
【０００３】
電磁誘導型は短距離（数ｃｍ以内）において利用され、数百ｋＨｚ以下の帯域で数百Ｗの電力を伝送することができる。電力の利用効率は６０〜９８％程度となっている。
数ｍ以上の比較的長い距離に給電する場合、電波受信型が利用される。電波受信型では、中波〜マイクロ波の帯域で数Ｗ以下の電力を伝送することができるが、電力の利用効率は低い。数ｍ程度の中距離を、比較的高い効率で給電する手法として、電場・磁場共鳴型が着目されている（非特許文献１参照）。
【先行技術文献】
【非特許文献】
【０００４】
【非特許文献１】A. Karalis, J.D. Joannopoulos, M. Soljacic、「Efficient wireless non-radiative mid-range energy transfer」、ANNALS of PHYSICS Vol. 323, pp.34-48, 2008, Jan.
【発明の概要】
【発明が解決しようとする課題】
【０００５】
図１は、ワイヤレス給電システムの一例を示す図である。ワイヤレス給電システム２ｒは、ワイヤレス給電装置４ｒおよびワイヤレス受電装置６ｒを備える。
【０００６】
ワイヤレス給電装置４ｒは、送信コイルＬＴＸ、共振用キャパシタＣＴＸおよび交流電源２０ｒを備える。交流電源２０ｒは、送信周波数ｆ１を有する電気信号Ｓ２を発生する。共振用キャパシタＣＴＸおよび送信コイルＬＴＸは共振回路を構成しており、その共振周波数は、電気信号Ｓ２の周波数にチューニングされている。送信コイルＬＴＸからは、電力信号Ｓ１が送出される。ワイヤレス給電システム２ｒでは、電力信号Ｓ１として電波になっていない電磁波の近傍界（電界、磁界、あるいは電磁界）が利用される。
【０００７】
ワイヤレス受電装置６ｒは、受信コイルＬＲＸ、共振用キャパシタＣＲＸおよび負荷３を備える。共振用キャパシタＣＲＸ、受信コイルＬＲＸおよび負荷３は共振回路を構成しており、その共振周波数は、電力信号Ｓ１の周波数にチューニングされる。
【０００８】
図２は、図１の給電システムにおける交流電源から負荷への伝達特性（Ｓ２１）を示す図である。送信コイルＬＴＸと受信コイルＴＲＸの距離や向きが変化すると、２つのコイルの結合度Ｋが変化する。伝達特性Ｓ２１は、結合度Ｋが高くなると２つのピークに分離（スプリット）し、ピークの間隔は結合度Ｋに応じて変化する。
【０００９】
従来の給電システム２ｒにおいては、共振用キャパシタＣＴＸ、ＣＲＸの容量値を調節することにより、高い伝送効率が得られるピーク付近に、受信側、送信側の共振回路の共振周波数をチューニングしていた。
【００１０】
しかしながら、給電装置４ｒと受電装置６ｒの距離、すなわち結合度Ｋが時々刻々と変化する状況においては、共振用キャパシタＣＴＸ、ＣＲＸの調節を、結合度Ｋに応じて追従させるのが難しかった。
【００１１】
本発明は係る課題に鑑みてなされたものであり、そのある態様の例示的な目的のひとつは、送信コイルと受信コイルの結合度が変化しても、高効率な電力伝送が可能なワイヤレス給電装置の提供にある。
【課題を解決するための手段】
【００１２】
本発明のある態様は、電界、磁界、電磁界のいずれかを含む電力信号を送信するワイヤレス給電装置に関する。ワイヤレス給電装置は、直列に接続された送信コイルおよび共振用キャパシタを含む共振回路と、離散的な複数の周波数から任意の周波数が設定可能であり、設定された周波数の正弦波信号を重ね合わせたマルチトーン信号を、共振回路に出力可能に構成されるマルチトーン電源と、マルチトーン電源が出力すべき正弦波信号の周波数を設定する周波数制御回路と、を備える。周波数制御回路は、測定モードにおいて、マルチトーン電源にすべての周波数を設定し、すべての周波数の正弦波信号を重ね合わせたマルチトーン信号を発生させた状態で、送電効率が高い少なくともひとつの周波数を決定し、給電モードにおいて、測定モードにおいて決定された少なくともひとつの周波数を、マルチトーン電源に設定する。
【００１３】
この態様によると、結合度に応じて、伝送効率が高い周波数帯域が分離した状況においても、給電側、受電側における共振周波数を変更することなく、効率が高い周波数を利用して電力伝送できる。
【００１４】
なお、以上の構成要素の任意の組み合わせや本発明の構成要素や表現を、方法、装置などの間で相互に置換したものもまた、本発明の態様として有効である。
【発明の効果】
【００１５】
本発明のある態様によれば、送信コイルと受信コイルの結合度が変化しても、高効率な電力伝送が可能となる。
【図面の簡単な説明】
【００１６】
【図１】ワイヤレス給電システムの一例を示す図である。
【図２】図１の給電システムにおける交流電源から負荷への伝達特性（Ｓ２１）を示す図である。
【図３】実施の形態に係るワイヤレス給電装置の構成を示すブロック図である。
【図４】ワイヤレス給電装置の具体的な構成を示す回路図である。
【図５】図５（ａ）〜（ｅ）は、実施の形態に係るワイヤレス給電装置の動作を示す図である。
【図６】第１の変形例に係るワイヤレス給電装置の構成を示す回路図である。
【図７】第３の変形例に係るワイヤレス給電装置の一部の構成を示す回路図である。
【図８】第７の変形例に係るワイヤレス給電装置の一部の構成を示す回路図である。
【図９】第８の変形例に係るワイヤレス給電装置を用いた給電システムを示す図である。
【図１０】図１０（ａ）〜（ｃ）は、図９の給電システムの動作を示す図である。
【発明を実施するための形態】
【００１７】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１８】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００１９】
図３は、実施の形態に係るワイヤレス給電装置４の構成を示すブロック図である。給電装置４は、共振回路１０、マルチトーン電源２０、周波数制御回路４０を備え、図示しないワイヤレス受電装置に対して電力信号Ｓ１を送出する。電力信号Ｓ１は、電波になっていない電磁波の近傍界（電界、磁界、あるいは電磁界）である。
【００２０】
共振回路１０は、直列に接続された送信コイルＬＴＸおよび共振用キャパシタＣＴＸを含む。抵抗ＲＴＸは、共振回路の抵抗成分を示す。
【００２１】
マルチトーン電源２０は、離散的な複数の周波数ｆ１〜ｆＮから、任意の周波数が設定可能となっており、設定された周波数の正弦波信号を重ね合わせたマルチトーン信号Ｓ２を、共振回路１０に出力可能に構成される。Ｎは、２以上の整数である。複数の周波数ｆ１〜ｆＮは、共振回路１０の共振周波数ｆＲを中心として分布する。
【００２２】
周波数制御回路４０は、マルチトーン電源２０が出力すべき正弦波信号の周波数を設定する。周波数制御回路４０は、測定モードと、給電モードが切り換え可能となっている。
【００２３】
測定モードにおいて、周波数制御回路４０は、マルチトーン電源２０にすべての周波数ｆ１〜ｆＮを設定する。これによりマルチトーン電源２０に、すべての周波数ｆ１〜ｆＮの正弦波信号を重ね合わせたマルチトーン信号Ｓ２ａを発生させる。このマルチトーン信号Ｓ２ａによって電力伝送を行うわけではないので、各周波数の振幅は十分に小さくする。この状態で、周波数制御回路４０は、共振回路１０の電気的状態を示す検出信号Ｓ６にもとづき、送電効率が高い少なくともひとつの周波数を決定する。
【００２４】
給電モードにおいて、周波数制御回路４０は、測定モードにおいて決定された少なくともひとつの周波数を、マルチトーン電源２０に設定する。好ましくは、周波数制御回路４０は、２つの周波数ｆｉ、ｆｊをマルチトーン電源２０に設定する。これにより給電モード中、マルチトーン電源２０は、伝送効率が高い２つの周波数ｆｉ、ｆｊの正弦波信号を重ね合わせたマルチトーン信号Ｓ２ｂを発生する。つまり周波数ｆｉ、ｆｊを利用して給電が行われる。マルチトーン信号Ｓ２ｂにおける周波数ｆｉ、ｆｊの強度は、測定モードにおける各周波数の強度よりも十分に高く設定される。給電モードにおいてマルチトーン電源２０に設定する周波数の個数は、２に限定されず、その数は任意である。
【００２５】
マルチトーン電源２０は、周波数制御回路４０によって設定された複数の周波数ｆ１、ｆ２…の正弦波を、マルチトーン信号Ｓ２のクレストファクターが小さくなるような位相で重ね合わせることが望ましい。
【００２６】
図４は、ワイヤレス給電装置４の具体的な構成を示す回路図である。
マルチトーン電源２０は、ブリッジ回路２２、ドライバ回路２４、電源２６、デジタルマルチトーン信号生成部２８、ビットストリーム信号生成部３０を備える。
【００２７】
ブリッジ回路２２の出力端子Ｐ１、Ｐ２は、共振回路１０と接続される。図４においてブリッジ回路２２は、Ｈブリッジ回路であり、４つのスイッチＳＷ１〜ＳＷ４を含む。
電源２６は、ブリッジ回路２２に電源電圧ＶＤＤを出力する。
【００２８】
デジタルマルチトーン信号生成部２８は、周波数制御回路４０により設定された周波数の正弦波信号を重ね合わせた波形を有するデジタルマルチトーン信号Ｓ３を生成する。たとえばデジタルマルチトーン信号生成部２８は、周波数制御回路４０により設定された周波数データＳ５を受ける。周波数データＳ５は、各周波数の振幅および位相情報を示す複素データである。デジタルマルチトーン信号生成部２８は、周波数データＳ５を逆フーリエ変換することによりデジタルマルチトーン信号Ｓ３を生成する高速逆フーリエ変換器を含む。
【００２９】
ビットストリーム信号生成部３０は、デジタルマルチトーン信号Ｓ３に応じたビットストリーム信号Ｓ４を生成する。たとえばビットストリーム信号生成部３０は、デジタルマルチトーン信号Ｓ３をΔΣ変調することによりビットストリーム信号Ｓ４を生成するバンドパスΔΣ変調器を含む。
【００３０】
バンドパスΔΣ変調器は、公知の技術を用いればよい。バンドパスΔΣ変調器の内部のバンドパスフィルタの中心通過周波数ｆｃは、共振回路１０の共振周波数ｆＲと等しくなるように設計する。バンドパスΔΣ変調器は、オーバーサンプリングにより、中心通過周波数ｆｃの４倍のレートのビットストリーム信号Ｓ４を生成する。
【００３１】
ビットストリーム信号生成部３０に入力されるデジタルマルチトーン信号Ｓ３は、全帯域に均一に分布する量子化ノイズを有する。バンドパスΔΣ変調器によって、量子化ノイズが、周波数ｆｃ付近で最小となり、そこから離れるに従って増大するように整形（ノイズシェーピング）される。
【００３２】
ドライバ回路２４は、ビットストリーム信号Ｓ４に応じてブリッジ回路のスイッチＳＷ１〜ＳＷ４を駆動する。
具体的には、ドライバ回路２４は、ビットストリーム信号Ｓ４が第１レベル（たとえばハイレベル）のときスイッチＳＷ１、ＳＷ４のペアをオンし、ビットストリーム信号Ｓ４が第２レベル（たとえばローレベル）のとき、スイッチＳＷ２、ＳＷ３のペアをオンする。
【００３３】
周波数制御回路４０は、共振回路１０に流れる共振電流ＩＬに応じた検出信号Ｓ６を受ける。たとえば共振回路１０には、共振用キャパシタＣＴＸおよび送信コイルＬＴＸと直列に設けられた検出抵抗Ｒｓが設けられる。検出抵抗Ｒｓには、共振電流ＩＬに比例した電圧降下Ｖｓが発生し、この電圧降下Ｖｓが検出信号Ｓ６として周波数制御回路４０に入力される。周波数制御回路４０は、検出信号Ｓ６に含まれる周波数成分のうち、強度が大きい周波数を、マルチトーン電源２０に設定する。
【００３４】
周波数制御回路４０は、セレクタ４２、フォーマット部４４、高速フーリエ変換器４６、Ａ／Ｄコンバータ４８、タイマー回路５０、全トーン生成部５２を含む。
【００３５】
タイマー回路５０は、所定の周期ごとに、測定モードと給電モードを切りかえる。たとえばタイマー回路５０は、測定モードにおいてローレベル（０）、給電モードにおいてハイレベル（１）となる制御信号ＳＣＮＴを生成する。
【００３６】
上述のように、測定モードにおいて、周波数制御回路４０は、マルチトーン電源２０にすべての周波数を設定する。全トーン生成部５２は、すべての周波数成分が均一な振幅を有するマルチトーン信号Ｓ２ａを生成するために必要な周波数データＳ５ａを生成する。上述のように、各周波数の位相は、クレストファクターを小さくするために調節されることが望ましい。
【００３７】
マルチトーン電源２０をブリッジ回路２２で構成する場合、マルチトーン信号Ｓ２の振幅は、電源２６が生成する電源電圧ＶＤＤで制限される。クレストファクターが小さくなるように各周波数の位相を最適化することにより、各周波数成分の振幅を大きくとることができ、送電可能な電力を大きくできる。マルチトーン電源２０をアナログアンプで構成する場合においても同様である。
【００３８】
Ａ／Ｄコンバータ４８は、検出信号Ｓ６をデジタル信号Ｓ７に変換する。高速フーリエ変換器４６は、デジタル信号Ｓ７をフーリエ変換する。フォーマット部４４は、高速フーリエ変換器４６の出力データＳ８にもとづき、続く給電モードにおいてマルチトーン電源２０に設定すべき周波数を決定する。具体的にはフォーマット部４４は、フーリエ変換された出力データＳ８が示す信号強度が大きい複数の周波数を、マルチトーン電源２０に設定する。フォーマット部４４は、クレストファクターが小さくなるように、各周波数の位相を決定して、周波数データＳ５ｂを生成する。
【００３９】
周波数データＳ５ａ、Ｓ５ｂはセレクタ４２に入力される。セレクタ４２は、測定モードにおいて周波数データＳ５ａを選択し、給電モードにおいて周波数データＳ５ｂを選択する。
【００４０】
以上がワイヤレス給電装置４の構成である。
続いてその動作を説明する。図５（ａ）〜（ｅ）は、実施の形態に係るワイヤレス給電装置４の動作を示す図である。送信コイルＬＴＸと受信コイルＬＲＸの結合度Ｋは、ワイヤレス給電装置４とワイヤレス受電装置６との距離や向きに応じて変化する。そして、マルチトーン電源２０からワイヤレス受電装置６の負荷に対するＳパラメータ（伝達特性）Ｓ２１は、結合度Ｋに応じて変化する。
【００４１】
図５（ａ）、（ｂ）はそれぞれ、ある結合度ＫのときのＳパラメータＳ２１（伝達特性）およびＳ１１（反射特性）を示す。測定モードにおいて、周波数制御回路４０は、全周波数をマルチトーン電源２０に設定する。その結果、図５（ｃ）に示すスペクトルを有するマルチトーン信号Ｓ２ａが生成される。図５（ｃ）のスペクトルを有するマルチトーン信号Ｓ２ａを共振回路１０に印加すると、ワイヤレス受電装置６に対して効率的に電力が伝送される周波数においては、共振電流ＩＬが大きくなる。つまり、高速フーリエ変換器４６が生成する出力データＳ８は、効率的な電力伝送が可能な周波数の強度が強くなる。フォーマット部４４は、強度が強い周波数ｆ５、ｆ８を、続く給電モードにおいて使用する周波数に決定する。給電モードでは、図５（ｅ）に示すように、周波数ｆ５、ｆ８を有するマルチトーン信号Ｓ２ａが生成される。
【００４２】
ワイヤレス給電装置４は、タイマー回路５０からの制御信号ＳＣＮＴに応じて、所定の周期で測定モードとなり、そのときどきで最適な周波数を選択し、ワイヤレス受電装置６に給電する。
【００４３】
以上がワイヤレス給電装置４の動作である。
【００４４】
実施の形態に係るワイヤレス給電装置４は、共振回路１０に流れる共振電流ＩＬのスペクトルを測定することにより、ワイヤレス受電装置６に対して効率的に電力伝送可能な周波数を検出することができる。
【００４５】
そして、所定の周期ごとに、給電モードと測定モードを切りかえることにより、ワイヤレス給電装置４とワイヤレス受電装置６が相対的に移動する場合においても、マルチトーン信号Ｓ２ｂの周波数を適切に切りかえることができ、常に高効率な電力伝送が可能となる。
【００４６】
また図３のワイヤレス給電装置４では、ブリッジ回路２２を用いて、マルチトーン信号Ｓ２を生成する。したがって、リニアアンプを用いる場合に比べて、高効率で電力信号Ｓ１を生成できる。
【００４７】
さらに、ビットストリーム信号生成部３０にバンドパス型のΔΣ変調器を用いており、その中心周波数ｆｃは、共振回路１０の共振周波数ｆＲと一致するように選択される。その結果、デジタルマルチトーン信号Ｓ３の量子化ノイズが、バンドパスフィルタの帯域外に分布することになるが、共振回路１０によって好適にフィルタリングすることができる。
【００４８】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００４９】
（変形例１）
図６は、第１の変形例に係るワイヤレス給電装置４ａの構成を示す回路図である。ワイヤレス給電装置４ａでは、共振電流ＩＬに代えて、共振回路１０の両端間の電圧Ｖｓに応じた検出信号Ｓ６ａが生成される。そして周波数制御回路４０ａは、検出信号Ｓ６ａに含まれる周波数成分のうち、強度が小さい周波数を、続くマルチトーン電源２０に設定する。
【００５０】
この変形例において、ワイヤレス受電装置に電力が伝送されない周波数の正弦波信号は、共振回路１０により反射される。その結果、両端間の検出電圧Ｖｓは、伝送効率が低い周波数において大きくなり、伝送効率が高い周波数において小さくなる。そこで、この検出電圧Ｖｓをフーリエ変換することにより、伝送に適した周波数を決定することができる。
【００５１】
（変形例２）
電源２６は、デジタルマルチトーン信号Ｓ３に応じて、電源電圧ＶＤＤを変調してもよい。この場合、電源２６およびブリッジ回路２２を、ポーラー変調器とみなすことができる。
【００５２】
電源電圧ＶＤＤを固定した場合、マルチトーン信号Ｓ２ａは完全な矩形波となるため、そのスペクトルは、サイドバンド成分を多く含む。これに対して、マルチトーン信号Ｓ２の波形に応じて、電源電圧ＶＤＤを適切に変調することにより、サイドバンド成分を抑制することができ、帯域外のノイズをさらに低減することができ、あるいは効率を高めることができる。
【００５３】
（変形例３）
図７は、第３の変形例に係るワイヤレス給電装置４ｂの一部の構成を示す回路図である。ワイヤレス給電装置４ｂでは、ブリッジ回路２２ｂとしてハーフブリッジ回路を備える。ドライバ回路２４は、ビットストリーム信号Ｓ４が第１レベル（ハイレベル）のときに、スイッチＳＷ５をオンし、第２レベル（ローレベル）のときに、スイッチＳＷ６をオンする。
この変形例によれば、Ｈブリッジ回路と同様の効果を得ることができる。
【００５４】
（変形例４）
実施の形態では、測定モードと給電モードを時分割で行う場合を説明したが、本発明はこれに限定されず、給電を行いながら、電力伝送に最適な周波数を測定してもよい。この変形例では、周波数制御回路４０は、周波数データＳ５ａとＳ５ｂを重ね合わせた周波数データを出力する。弱い強度ですべての周波数の信号を発生して周波数特性を測定しつつ、電力伝送に利用する周波数については、信号強度を大きくする。
【００５５】
（変形例５）
実施の形態では、電力伝送の周波数特性を測定するために、Ａ／Ｄコンバータ４８および高速フーリエ変換器４６を利用したが、本発明はそれに限定されず、セレクティブレベルメータを用いて、各周波数ｆ１〜ｆＮそれぞれの強度を測定してもよい。
【００５６】
（変形例６）
マルチトーン電源２０をアナログのリニアアンプで構成してもよい。たとえばマルチトーン電源２０は、デジタルマルチトーン信号Ｓ３をアナログマルチトーン信号に変換するＤ／Ａコンバータと、Ｄ／Ａコンバータの出力信号を共振回路１０に出力するアナログアンプ（バッファ）で構成できる。この構成によっても、共振回路１０に対して複数の周波数の正弦波を重ね合わせたマルチトーン信号を出力できる。
【００５７】
（変形例７）
図８は、第７の変形例に係るワイヤレス給電装置４ｃの一部の構成を示す回路図である。ドライバ回路２４ｃは、分配部６０およびデッドタイム設定部６２を含む。分配部６０は、ビットストリーム信号Ｓ４にもとづき、スイッチＳＷ１〜ＳＷ４に対するゲート信号Ｇ１〜Ｇ４を生成する。たとえばビットストリーム信号Ｓ４がハイレベルのとき、ゲート信号Ｇ１、Ｇ４は、スイッチＳＷ１、ＳＷ４のオンを指示するレベルとなり、ビットストリーム信号Ｓ４がローレベルのとき、ゲート信号Ｇ２、Ｇ３は、スイッチＳＷ２、ＳＷ３のオンを指示するレベルとなる。
【００５８】
デッドタイム設定部６２は、ビットストリームの各周期ごとに、スイッチＳＷ１〜ＳＷ４のオン時間を所定のデッドタイムＴＤＴ短くし、デッドタイムＴＤＴの区間、すべてのスイッチＳＷ１〜ＳＷ４をオフする。デッドタイム設定部６２は、デッドタイムＴＤＴの長さが調節可能に構成される。
【００５９】
このデッドタイムＴＤＴは、いわゆる貫通電流の防止に加えて、共振周波数の制御に利用される。デッドタイム設定部６２は、マルチトーン信号Ｓ２、言い換えればそれに応じた共振電流ＩＬが、共振回路１０と部分共振するように、デッドタイムＴＤＴの長さを調節する。
【００６０】
この変形例によれば、部分共振を利用することにより、共振回路１０の送信コイルＬＴＸ、共振用キャパシタＣＴＸの回路定数を変更することなく、デッドタイムＴＤＴの長さに応じて共振回路１０の実効的な共振周波数を変化させることができる。
【００６１】
（変形例８）
図９は、第８の変形例に係るワイヤレス給電装置４ｄを用いた給電システム２ｄを示す図である。図１０（ａ）〜（ｃ）は、図９の給電システム２ｄの動作を示す図である。
【００６２】
ワイヤレス給電装置４ｄの制御部７０は、所定の周期で、あるいはランダムに、マルチトーン電源２０に設定する周波数ｆｉ、ｆｊを、図１０（ｂ）、（ｃ）に示すように複数の状態で切りかえる。
【００６３】
ワイヤレス受電装置６ｄの負荷３ｄは、インピーダンスが可変に構成される。負荷３ｄの構成は限定されないが、たとえば負荷Ｚ１、Ｚ２と、スイッチＳＷ７を含んでもよい。スイッチＳＷ７がオンすると、オフ状態に比べて負荷３ｄのインピーダンスは低くなる。負荷３ｄのインピーダンスが変化すると、図１０（ａ）に実線と破線で示すように、高効率伝送が可能な周波数が変化する。
【００６４】
このシステムにおいて、ワイヤレス給電装置４ｄによるマルチトーン信号Ｓ２の周波数の切り換えとワイヤレス受電装置６ｄによる負荷３ｄの切りかえが同期制御される場合のみ、電力伝送を行うことができる。
【００６５】
すなわち、ワイヤレス給電装置４ｄは、給電を許可するワイヤレス受電装置６ｄに対してのみ、同期制御に必要な情報を含む同期信号Ｓ９を出力する。適切な同期信号Ｓ９を受信した制御部７２は、周波数制御回路４０による周波数の切りかえと同期して、負荷３ｄのインピーダンスを切りかえる。
【００６６】
このシステムによれば、ワイヤレス受電装置６ｄに対する給電の許可、禁止を制御できる。
【００６７】
（変形例９）
マルチトーン信号Ｓ２には、何らかの情報を重畳してもよい。情報の重畳は、重ね合わされる各周波数の正弦波に、振幅変調、位相変調などを施すことにより実現できる。たとえば、変形例８の同期信号Ｓ９を、マルチトーン信号Ｓ２自体に重畳してもよい。
【００６８】
（変形例１０）
実施の形態では、ΔΣ変調を用いる場合を説明したが、パルス幅変調をはじめとするその他の変調方式を用いて、ブリッジ回路２２を駆動してもよい。
【００６９】
実施の形態にもとづき本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００７０】
２…給電システム、４…ワイヤレス給電装置、６…ワイヤレス受電装置、１０…共振回路、２０…マルチトーン電源、２２…ブリッジ回路、２４…ドライバ回路、２６…電源、２８…デジタルマルチトーン信号生成部、３０…ビットストリーム信号生成部、４０…周波数制御回路、４２…セレクタ、４４…フォーマット部、４６…高速フーリエ変換器、４８…Ａ／Ｄコンバータ、５０…タイマー回路、５２…全トーン生成部、Ｓ２…マルチトーン信号、Ｓ３…デジタルマルチトーン信号、Ｓ４…ビットストリーム信号。
【図１】
0005702865.tif 000002
【図２】
0005702865.tif 000003
【図３】
0005702865.tif 000004
【図４】
0005702865.tif 000005
【図５】
0005702865.tif 000006
【図６】
0005702865.tif 000007
【図７】
0005702865.tif 000008
【図８】
0005702865.tif 000009
【図９】
0005702865.tif 000010
【図１０】
0005702865.tif 000011